(57)【要約】【課題】略直方体箱状のケーシングの内部が鉛直に延びる仕切板により送風機室と機械室とに分割された構造を有する空気調和装置の室外ユニットにおいて、送風機室内の通風抵抗の増加の抑制と現地作業性の確保とを両立する。【解決手段】電装品アセンブリ７は、運転制御素子が実装された制御基板９１とインバータ制御素子９２とを含む各種電気部品が装着されており、ユニットケーシング２内に設けられた状態において、制御基板９１の基板面が仕切板２８に沿うようにかつユニットケーシング２の前面に対して傾斜するように設けられる躯体７１を備えている。【選択図】図３
2007127378.tif 000002
【特許請求の範囲】
【請求項１】
略直方体箱状のケーシング（２、１０２）の内部が鉛直に延びる仕切板（２８、１２８）により送風機室（Ｓ１）と機械室（Ｓ２）とに分割された構造を有する空気調和装置の室外ユニットにおいて、前記機械室に配置される電装品アセンブリであって、
運転制御素子が実装された制御基板（９１）とインバータ制御素子（９２）とを含む各種電気部品が装着されており、前記ケーシング内に設けられた状態において、前記制御基板の基板面が前記仕切板に沿うようにかつ前記ケーシングの前面に対して傾斜するように設けられる躯体（７１）を備えた電装品アセンブリ（７）。
【請求項２】
前記躯体（７１）は、前記ケーシング（２、１０２）の平面視において略矩形形状であり、
前記躯体の前記仕切板（２８、１２８）側の角部は、前記仕切板の屈曲面に沿うように接している、
請求項１に記載の電装品アセンブリ（７）。
【請求項３】
前記運転制御素子のうち高アクセス頻度制御素子（９８ａ、９８ｂ）は、前記ケーシング（２、１０２）の前面寄りに配置されている、請求項１又は２に記載の電装品アセンブリ（７）。
【請求項４】
前記躯体（７１）は、前記基板面に直交する方向から見た際においても、前記ケーシング（２、１０２）の側面によって隠れてしまうことなく、前記高アクセス頻度制御素子（９８ａ、９８ｂ）のすべてを視認することができるように、前記ケーシングの前面に対して傾斜している、請求項３に記載の電装品アセンブリ（７）。
【請求項５】
前記躯体（７１）は、前記仕切板（２８、１２８）に沿うように配置される基板取付プレート（７２）と、前記基板取付プレートを反仕切板側から覆う基板保護プレート（７６）とを有しており、
前記基板保護プレートの外面には、前記制御基板（９１）とは別の前記高アクセス頻度制御素子（９８ａ、９８ｂ）が実装された補助基板（９８）が装着されている、
請求項３又は４に記載の電装品アセンブリ（７）。
【請求項６】
略直方体箱状のケーシング（２、１０２）と、
前記ケーシングの内部を送風機室（Ｓ１）と機械室（Ｓ２）とに分割するように鉛直に延びる仕切板（２８、１２８）と、
前記機械室に配置される請求項１〜５のいずれかに記載の電装品アセンブリ（７）と、
を備えた空気調和装置の室外ユニット（１、１０１）。
【請求項７】
請求項６に記載の空気調和装置の室外ユニットからなる第１室外ユニット（１）と、
前記第１室外ユニットの側方に並べて配置されており、請求項５に記載の空気調和装置の室外ユニットからなり、第１室外ユニットのケーシング（２）と高さの異なるケーシング（１０２）を有する第２室外ユニット（１０１）とを備え、
第１室外ユニットの電装品アセンブリの躯体（７１）と第２室外ユニットの電装品アセンブリの躯体（７１）とは、各ケーシングの設置面から同じ高さ位置に配置される、
空気調和装置。
【発明の詳細な説明】
【技術分野】
【０００１】
本発明は、電装品アセンブリ、それを備えた空気調和装置の室外ユニット、及び空気調和装置、特に、略直方体箱状のケーシングの内部が鉛直に延びる仕切板により送風機室と機械室とに分割された構造を有する空気調和装置の室外ユニットにおいて、機械室に配置される電装品アセンブリ、それを備えた空気調和装置の室外ユニット及び空気調和装置に関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリは、運転制御素子が実装された制御基板と運転時の冷却が必要なインバータ制御素子（例えば、パワートランジスタ、ダイオード等）とが、ケーシングの平面視における形状が略矩形形状の躯体に装着された構成である。そして、この電装品アセンブリの躯体は、制御基板の基板面がケーシングの前面に直交するように（すなわち、ケーシングの側面に平行に）配置されている（特許文献１参照）。
【特許文献１】特開平９−２３６２８４号公報
【発明の開示】
【発明が解決しようとする課題】
【０００３】
しかし、上述の電装品アセンブリにおいて、躯体の平面視における形状を略矩形形状にすることは、電装品アセンブリのコンパクト化という観点では理想的であるが、電装品アセンブリを構成する冷却フィン以外の躯体の一部までもが送風機室に突出してしまい、送風機室内の通風抵抗の増加を生じやすくなること、また、このような電装品アセンブリを備えた室外ユニットを複数台並べて設置した場合に、メンテナンス等の現地作業性を確保しにくいという問題がある。
【０００４】
本発明の課題は、略直方体箱状のケーシングの内部が鉛直に延びる仕切板により送風機室と機械室とに分割された構造を有する空気調和装置の室外ユニットにおいて、送風機室内の通風抵抗の増加の抑制と現地作業性の確保とを両立することにある。
【課題を解決するための手段】
【０００５】
第１の発明にかかる電装品アセンブリは、略直方体箱状のケーシングの内部が鉛直に延びる仕切板により送風機室と機械室とに分割された構造を有する空気調和装置の室外ユニットにおいて、機械室に配置される電装品アセンブリであって、運転制御素子が実装された制御基板とインバータ制御素子とを含む各種電気部品が装着されており、ケーシング内に設けられた状態において、制御基板の基板面が仕切板に沿うようにかつケーシングの前面に対して傾斜するように設けられる躯体を備えている。
【０００６】
この電装品アセンブリでは、制御基板の基板面が仕切板に沿うようにかつケーシングの前面に対して傾斜するように躯体がケーシング内に設けられるため、躯体の一部が送風機室に突出してしまうことがなく、また、このような電装品アセンブリを備えた室外ユニットを複数台並べて設置した場合においても制御基板のメンテナンス等を行うことができる。これにより、この電装品アセンブリでは、送風機室内の通風抵抗の増加の抑制と現地作業性の確保とを両立することができる。
【０００７】
第２の発明にかかる電装品アセンブリは、第１の発明にかかる電装品アセンブリにおいて、躯体はケーシングの平面視において略矩形形状であり、躯体の仕切板側の角部は仕切板の屈曲面に沿うように接している。
この電装品アセンブリでは、躯体の仕切板側の角部が仕切板の屈曲面に沿うように接しているため、躯体の角部が送風機室まで突出していない。これにより、送風機室内の通風抵抗の増加を確実に抑制することができる。
【０００８】
第３の発明にかかる電装品アセンブリは、第１又は第２の発明にかかる電装品アセンブリにおいて、運転制御素子のうち高アクセス頻度制御素子は、ケーシングの前面寄りに配置されている。
この電装品アセンブリでは、高アクセス頻度制御素子がケーシングの前面寄りに配置されているため、高アクセス頻度制御素子の視認性及びサービス性を向上させることができる。
【０００９】
第４の発明にかかる電装品アセンブリは、第３の発明にかかる電装品アセンブリにおいて、躯体は、基板面に直交する方向から見た際においても、ケーシングの側面によって隠れてしまうことなく、高アクセス頻度制御素子のすべてを視認することができるように、ケーシングの前面に対して傾斜している。
この電装品アセンブリでは、電装品アセンブリを備えた室外ユニットを複数台並べて設置した場合においても、高アクセス頻度制御素子の視認性及びサービス性を良好に保つことができ、また、現地作業性をさらに向上させることができる。
【００１０】
第５の発明にかかる電装品アセンブリは、第３又は第４の発明にかかる電装品アセンブリにおいて、躯体は、仕切板に沿うように配置される基板取付プレートと、基板取付プレートを反仕切板側から覆う基板保護プレートとを有している。そして、基板保護プレートの外面には、制御基板とは別の高アクセス頻度制御素子が実装された補助基板が装着されている。
この電装品アセンブリでは、基板保護プレートの外面に制御基板とは別の高アクセス頻度制御素子が実装された補助基板が装着されているため、高アクセス頻度制御素子の視認性及びサービス性をさらに向上させることができる。
【００１１】
第６の発明にかかる空気調和装置の室外ユニットは、略直方体箱状のケーシングと、ケーシングの内部を送風機室と機械室とに分割するように鉛直に延びる仕切板と、機械室に配置される第１〜第５の発明のいずれかにかかる電装品アセンブリとを備えている。
この空気調和装置の室外ユニットでは、第１〜第５の発明のいずれかにかかる電装品アセンブリを備えているため、送風機室内の通風抵抗の増加の抑制と現地作業性の確保とを両立することができる。
【００１２】
第７の発明にかかる空気調和装置は、第１室外ユニットと第２室外ユニットとを備えている。第１室外ユニットは、第６の発明にかかる空気調和装置の室外ユニットからなる。第２室外ユニットは、第１室外ユニットの側方に並べて配置されており、第５の発明にかかる空気調和装置の室外ユニットからなり、第１室外ユニットのケーシングと高さの異なるケーシングを有する。そして、第１室外ユニットの電装品アセンブリの躯体と第２室外ユニットの電装品アセンブリの躯体とは、各ケーシングの設置面から同じ高さ位置に配置される。
【００１３】
この空気調和装置では、２つの室外ユニットを側方に並べて配置する場合に、各室外ユニットの電装品アセンブリの高さ位置が同じになるように各ケーシング内に配置されているため、作業者が同じ体勢で各電装品アセンブリに対してアクセスできる。これにより、ケーシング高さの異なる複数の室外ユニットを側方に並べて配置されている場合においても、現地作業性を向上させることができる。
【発明の効果】
【００１４】
以上の説明に述べたように、本発明によれば、以下の効果が得られる。
第１の発明では、送風機室内の通風抵抗の増加の抑制と現地作業性の確保とを両立することができる。
第２の発明では、送風機室内の通風抵抗の増加を確実に抑制することができる。
第３の発明では、高アクセス頻度制御素子の視認性及びサービス性を向上させることができる。
【００１５】
第４の発明では、電装品アセンブリを備えた室外ユニットを複数台並べて設置した場合においても、高アクセス頻度制御素子の視認性及びサービス性を良好に保つことができ、また、現地作業性をさらに向上させることができる。
第５の発明では、高アクセス頻度制御素子の視認性及びサービス性をさらに向上させることができる。
【００１６】
第６の発明では、送風機室内の通風抵抗の増加の抑制と現地作業性の確保とを両立することができる。
第７の発明では、ケーシング高さの異なる複数の室外ユニットを側方に並べて配置されている場合においても、現地作業性を向上させることができる。
【発明を実施するための最良の形態】
【００１７】
以下、図面に基づいて、本発明にかかる電装品アセンブリ、それを備えた空気調和装置の室外ユニット、及び空気調和装置の実施形態について説明する。
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００１８】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００１９】
（２）ユニットケーシングの構成
ユニットケーシング２は、主として、底板２１と、天板２２と、左前板２３と、右前板２４と、右側板２５とを備えている。
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００２０】
天板２２は、室外ユニット１の天面部分を構成する横長の略長方形状の金属製の板状部材である。
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００２１】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００２２】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００２３】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００２４】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００２５】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００２６】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００２７】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００２８】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。図６は、図５から仕切板２８を取り除いた状態の電装品アセンブリ７を示す図である。
【００２９】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる第１プレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側の面には、運転制御素子が実装された制御基板９１が取付プレート部７３の面に平行な状態で、複数のネジ９３を用いて装着されている。すなわち、制御基板９１の基板面は、取付プレート部７３と同様に、ユニットケーシング２の前面に対して傾斜しかつ鉛直に延びていることになる。そして、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。そして、取付プレート部７３の送風機室Ｓ１側の面には、フランジ部９４ａの外周縁を囲むように、送風機室Ｓ１側に突出する環状突出部７３ｃが形成されている。
【００３０】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が板保護プレート７６の上下方向に延びる段差とほぼ重なるように、ユニットケーシング２の前面に対して傾斜している。
【００３１】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する第２プレート部としての支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に形成された環状突出部７３ｃの外周側を囲むように第２開口としての支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように第１開口としての略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００３２】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００３３】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００３４】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
（６）本実施形態の電装品アセンブリ及びそれを備えた室外ユニットの特徴
本実施形態の電装品アセンブリ７及びそれを備えた室外ユニット１には、以下のような特徴がある。
【００３５】
（Ａ）
本実施形態の電装品アセンブリ７及びそれを備えた室外ユニット１では、制御基板９１の基板面が仕切板２８に沿うようにかつユニットケーシング２の前面に対して傾斜するように躯体７１がユニットケーシング２内に設けられるため、躯体７１の一部が送風機室Ｓ１に突出してしまうことがなく、また、このような電装品アセンブリ７を備えた室外ユニット１を複数台並べて設置した場合においても、右前板２４を取り外すだけで、制御基板９１のメンテナンス等を容易に行うことができる。これにより、この電装品アセンブリ７では、送風機室Ｓ１内の通風抵抗の増加の抑制と現地作業性の確保とを両立することができる。
【００３６】
（Ｂ）
本実施形態の電装品アセンブリ７では、躯体７１の仕切板２８側の角部が、仕切板２８の屈曲面に沿うように接しているため、躯体７１の角部が送風機室Ｓ１まで突出していない。これにより、送風機室Ｓ１内の通風抵抗の増加を確実に抑制することができる。
（Ｃ）
本実施形態の電装品アセンブリ７では、高アクセス頻度制御素子９８ａ、９８ｂがユニットケーシング２の前面寄りに配置されているため、高アクセス頻度制御素子の視認性及びサービス性を向上させることができる。
【００３７】
しかも、本実施形態の電装品アセンブリ７では、制御基板９１の基板面に直交する方向から見た際においても、ユニットケーシング２の側面によって隠れてしまうことなく、高アクセス頻度制御素子９８ａ、９８ｂのすべてを視認することができるように、ユニットケーシング２の前面に対して傾斜しているため、電装品アセンブリ７を備えた室外ユニット１を複数台並べて設置した場合においても、高アクセス頻度制御素子９８ａ、９８ｂの視認性及びサービス性を良好に保つことができ、また、現地作業性をさらに向上させることができる。
特に、本実施形態の電装品アセンブリ７では、基板取付プレート７２を反仕切板２８側から覆う基板保護プレート７６の外面に、制御基板９１とは別の高アクセス頻度制御素子９８ａ、９８ｂが実装された第１補助基板９８が装着されているため、高アクセス頻度制御素子の視認性及びサービス性をさらに向上させることができる。
【００３８】
（７）変形例
上述の実施形態では、上下に２つの室外ファン４がユニットケーシング２内に配置された室外ユニット１に本発明を適用した例を説明したが、１つの室外ファン４のみがユニットケーシング１０２内に配置された室外ユニット１０１に本発明を適用してもよい（図７参照）。この場合において、室外ユニット１０１のユニットケーシング１０２の設置面Ｕからの全高Ｈ２は、室外ユニット１のユニットケーシング２の全高Ｈ１（図２参照）よりも低いものであるが、この室外ユニット１０１においても、室外ユニット１の電装品アセンブリ７と同じ電装品アセンブリ７を使用し、この電装品アセンブリ７をユニットケーシング１０２の天板１２２の直下に設置することで、室外ユニット１のユニットケーシング２内に設置された電装品アセンブリ７の躯体７１の設置高さｈ（例えば、躯体７１の下端を基準とする）と同じ設置高さになるようにしている。すなわち、室外ユニット１に電装品アセンブリ７を設置する際には、ユニットケーシング２の天板２２と躯体７１との間に間隔が大きく空いた状態で設置されるように、ユニットケーシング２や仕切板２８に電装品アセンブリ７を固定する係止爪やネジ孔等を設けるようにし、室外ユニット１０１に電装品アセンブリ７を設置する際には、ユニットケーシング１０２の天板１２２と躯体７１との間に間隔を小さくした状態で設置されるように、ユニットケーシング１０２や仕切板１２８に電装品アセンブリ７を固定するための係止爪やネジ孔等を設けるようにしている。
【００３９】
これにより、図８に示されるように、室外ユニット１０１を室外ユニット１の側方に並べて配置した空気調和装置において、各室外ユニット１、１０１のユニットケーシング２、１０２の全高が異なるにもかかわらず、電装品アセンブリ７の躯体７１の設置高さｈ（例えば、躯体７１の下端を基準とする）と同じ設置高さｈになるように、各ケーシング２、１０２内に配置されているため、上述の実施形態と同様に、制御基板９１のメンテナンス等を容易に行うことができるとともに、作業者が同じ体勢で各電装品アセンブリ７に対してアクセスできる。これにより、ユニットケーシング２、１０２の高さの異なる複数の室外ユニット１、１０１を側方に並べて配置されている場合においても、現地作業性を向上させることができる。
【産業上の利用可能性】
【００４０】
本発明を利用すれば、略直方体箱状のケーシングの内部が鉛直に延びる仕切板により送風機室と機械室とに分割された構造を有する空気調和装置の室外ユニットにおいて、送風機室内の通風抵抗の増加の抑制と現地作業性の確保とを両立することができる。
【図面の簡単な説明】
【００４１】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】図５から仕切板を取り除いた状態を示す図である。
【図７】変形例にかかる室外ユニットの正面図（左右前板と圧縮機、室外熱交換器及び閉鎖弁以外の冷媒回路構成部品とを取り除いて図示）である。
【図８】高さの異なるケーシングを有する２つの室外ユニットを並べた状態を示す図である。
【符号の説明】
【００４２】
１、１０１  室外ユニット
２、１０２  ユニットケーシング
７  電装品アセンブリ
２８、１２８  仕切板
７１  躯体
７２  基板取付プレート
７６  基板保護プレート
９１  制御基板
９８  第１補助基板
９８ａ、９８ｂ  高アクセス頻度制御素子
Ｓ１  送風機室
Ｓ２  機械室
【図１】
2007127378.tif 000003
【図２】
2007127378.tif 000004
【図３】
2007127378.tif 000005
【図４】
2007127378.tif 000006
【図５】
2007127378.tif 000007
【図６】
2007127378.tif 000008
【図７】
2007127378.tif 000009
【図８】
2007127378.tif 000010
【手続補正書】
【提出日】平成19年1月29日(2007.1.29)
【手続補正１】
【補正対象書類名】特許請求の範囲
【補正対象項目名】全文
【補正方法】変更
【補正の内容】
【特許請求の範囲】
【請求項１】
略直方体箱状のケーシング（２、１０２）の内部が鉛直に延びる仕切板（２８、１２８）により送風機室（Ｓ１）と機械室（Ｓ２）とに分割された構造を有する空気調和装置の室外ユニットにおいて、前記機械室に配置される電装品アセンブリであって、
運転制御素子が実装された制御基板（９１）とインバータ制御素子（９２）とを含む各種電気部品が装着されており、前記ケーシングの平面視において略矩形形状の躯体（７１）を備え、
前記仕切板は、前記ケーシングの平面視において、送風機室側に突出するように屈曲した部分を有しており、
前記躯体は、前記ケーシング内に設けられた状態において、前記制御基板の基板面が前記ケーシングの前面に対して傾斜した状態で、かつ、前記ケーシングの平面視において、前記躯体の仕切板側の角部が、前記仕切板の屈曲部分の機械室側の面に接するように配置されている、
電装品アセンブリ（７）。
【請求項２】
前記仕切板（２８）には、送風機室（Ｓ１）と機械室（Ｓ２）とを連通する開口（２８ａ）が前記躯体（７１）の仕切板側の面に対向するように形成されており、
前記躯体の仕切板側の面には、送風機室側に向かって突出する冷却フィンが設けられている、
請求項１に記載の電装品アセンブリ（７）。
【請求項３】
前記運転制御素子のうち高アクセス頻度制御素子（９８ａ、９８ｂ）は、前記ケーシング（２、１０２）の前面寄りに配置されている、請求項１又は２に記載の電装品アセンブリ（７）。
【請求項４】
前記躯体（７１）は、前記基板面に直交する方向から見た際においても、前記ケーシング（２、１０２）の側面によって隠れてしまうことなく、前記高アクセス頻度制御素子（９８ａ、９８ｂ）のすべてを視認することができるように、前記ケーシングの前面に対して傾斜している、請求項３に記載の電装品アセンブリ（７）。
【請求項５】
前記躯体（７１）は、前記仕切板（２８、１２８）に沿うように配置される基板取付プレート（７２）と、前記基板取付プレートを反仕切板側から覆う基板保護プレート（７６）とを有しており、
前記基板保護プレートの外面には、前記制御基板（９１）とは別の前記高アクセス頻度制御素子（９８ａ、９８ｂ）が実装された補助基板（９８）が装着されている、
請求項３又は４に記載の電装品アセンブリ（７）。
【請求項６】
略直方体箱状のケーシング（２、１０２）と、
前記ケーシングの内部を送風機室（Ｓ１）と機械室（Ｓ２）とに分割するように鉛直に延びる仕切板（２８、１２８）と、
前記機械室に配置される請求項１〜５のいずれかに記載の電装品アセンブリ（７）と、
を備えた空気調和装置の室外ユニット（１、１０１）。
【請求項７】
請求項６に記載の空気調和装置の室外ユニットからなる第１室外ユニット（１）と、
前記第１室外ユニットの側方に並べて配置されており、請求項５に記載の空気調和装置の室外ユニットからなり、第１室外ユニットのケーシング（２）と高さの異なるケーシング（１０２）を有する第２室外ユニット（１０１）とを備え、
第１室外ユニットの電装品アセンブリの躯体（７１）と第２室外ユニットの電装品アセンブリの躯体（７１）とは、各ケーシングの設置面から同じ高さ位置に配置される、
空気調和装置。
【手続補正２】
【補正対象書類名】明細書
【補正対象項目名】全文
【補正方法】変更
【補正の内容】
【発明の詳細な説明】
【技術分野】
【０００１】
本発明は、電装品アセンブリ、それを備えた空気調和装置の室外ユニット、及び空気調和装置、特に、略直方体箱状のケーシングの内部が鉛直に延びる仕切板により送風機室と機械室とに分割された構造を有する空気調和装置の室外ユニットにおいて、機械室に配置される電装品アセンブリ、それを備えた空気調和装置の室外ユニット及び空気調和装置に関する。
【背景技術】
【０００２】
従来の空気調和装置の室外ユニットとして、略直方体箱状のケーシングの内部が鉛直方向に延びる仕切板により送風機室と機械室とに分割された構造を有するものがある。この送風機室には、主として、室外熱交換器と室外ファンとが配置されている。また、機械室には、主として、圧縮機と、弁類や冷媒配管等から構成される冷媒回路構成部品と、電装品アセンブリとが配置されている。このような電装品アセンブリは、運転制御素子が実装された制御基板と運転時の冷却が必要なインバータ制御素子（例えば、パワートランジスタ、ダイオード等）とが、ケーシングの平面視における形状が略矩形形状の躯体に装着された構成である。そして、この電装品アセンブリの躯体は、制御基板の基板面がケーシングの前面に直交するように（すなわち、ケーシングの側面に平行に）配置されている（特許文献１参照）。
【特許文献１】特開平９−２３６２８４号公報
【発明の開示】
【発明が解決しようとする課題】
【０００３】
しかし、上述の電装品アセンブリにおいて、躯体の平面視における形状を略矩形形状にすることは、電装品アセンブリのコンパクト化という観点では理想的であるが、電装品アセンブリを構成する冷却フィン以外の躯体の一部までもが送風機室に突出してしまい、送風機室内の通風抵抗の増加を生じやすくなること、また、このような電装品アセンブリを備えた室外ユニットを複数台並べて設置した場合に、メンテナンス等の現地作業性を確保しにくいという問題がある。
【０００４】
本発明の課題は、略直方体箱状のケーシングの内部が鉛直に延びる仕切板により送風機室と機械室とに分割された構造を有する空気調和装置の室外ユニットにおいて、送風機室内の通風抵抗の増加の抑制と現地作業性の確保とを両立することにある。
【課題を解決するための手段】
【０００５】
第１の発明にかかる電装品アセンブリは、略直方体箱状のケーシングの内部が鉛直に延びる仕切板により送風機室と機械室とに分割された構造を有する空気調和装置の室外ユニットにおいて、機械室に配置される電装品アセンブリであって、運転制御素子が実装された制御基板とインバータ制御素子とを含む各種電気部品が装着されており、ケーシングの平面視において略矩形形状の躯体を備えている。仕切板は、ケーシングの平面視において、送風機室側に突出するように屈曲した部分を有している。躯体は、ケーシング内に設けられた状態において、制御基板の基板面がケーシングの前面に対して傾斜した状態で配置されており、かつ、ケーシングの平面視において、躯体の仕切板側の角部が、仕切板の屈曲部分の機械室側の面に接している。
【０００６】
この電装品アセンブリでは、制御基板の基板面がケーシングの前面に対して傾斜するように躯体がケーシング内に設けられ、かつ、ケーシングの平面視において、躯体の仕切板側の角部が仕切板の屈曲部分の機械室側の面に接するように配置されているため、躯体の角部が送風機室まで突出してしまうことがなく、また、このような電装品アセンブリを備えた室外ユニットを複数台並べて設置した場合においても制御基板のメンテナンス等を行うことができる。これにより、この電装品アセンブリでは、送風機室内の通風抵抗の増加の抑制と現地作業性の確保とを両立することができる。
【０００７】
第２の発明にかかる電装品アセンブリは、第１の発明にかかる電装品アセンブリにおいて、仕切板には、送風機室と機械室とを連通する開口が躯体の仕切板側の面に対向するように形成されており、躯体の仕切板側の面には、送風機室側に向かって突出する冷却フィンが設けられている。
【０００８】
第３の発明にかかる電装品アセンブリは、第１又は第２の発明にかかる電装品アセンブリにおいて、運転制御素子のうち高アクセス頻度制御素子は、ケーシングの前面寄りに配置されている。
【０００９】
この電装品アセンブリでは、高アクセス頻度制御素子がケーシングの前面寄りに配置されているため、高アクセス頻度制御素子の視認性及びサービス性を向上させることができる。
【００１０】
第４の発明にかかる電装品アセンブリは、第３の発明にかかる電装品アセンブリにおいて、躯体は、基板面に直交する方向から見た際においても、ケーシングの側面によって隠れてしまうことなく、高アクセス頻度制御素子のすべてを視認することができるように、ケーシングの前面に対して傾斜している。
【００１１】
この電装品アセンブリでは、電装品アセンブリを備えた室外ユニットを複数台並べて設置した場合においても、高アクセス頻度制御素子の視認性及びサービス性を良好に保つことができ、また、現地作業性をさらに向上させることができる。
【００１２】
第５の発明にかかる電装品アセンブリは、第３又は第４の発明にかかる電装品アセンブリにおいて、躯体は、仕切板に沿うように配置される基板取付プレートと、基板取付プレートを反仕切板側から覆う基板保護プレートとを有している。そして、基板保護プレートの外面には、制御基板とは別の高アクセス頻度制御素子が実装された補助基板が装着されている。
【００１３】
この電装品アセンブリでは、基板保護プレートの外面に制御基板とは別の高アクセス頻度制御素子が実装された補助基板が装着されているため、高アクセス頻度制御素子の視認性及びサービス性をさらに向上させることができる。
【００１４】
第６の発明にかかる空気調和装置の室外ユニットは、略直方体箱状のケーシングと、ケーシングの内部を送風機室と機械室とに分割するように鉛直に延びる仕切板と、機械室に配置される第１〜第５の発明のいずれかにかかる電装品アセンブリとを備えている。
【００１５】
この空気調和装置の室外ユニットでは、第１〜第５の発明のいずれかにかかる電装品アセンブリを備えているため、送風機室内の通風抵抗の増加の抑制と現地作業性の確保とを両立することができる。
【００１６】
第７の発明にかかる空気調和装置は、第１室外ユニットと第２室外ユニットとを備えている。第１室外ユニットは、第６の発明にかかる空気調和装置の室外ユニットからなる。第２室外ユニットは、第１室外ユニットの側方に並べて配置されており、第５の発明にかかる空気調和装置の室外ユニットからなり、第１室外ユニットのケーシングと高さの異なるケーシングを有する。そして、第１室外ユニットの電装品アセンブリの躯体と第２室外ユニットの電装品アセンブリの躯体とは、各ケーシングの設置面から同じ高さ位置に配置される。
【００１７】
この空気調和装置では、２つの室外ユニットを側方に並べて配置する場合に、各室外ユニットの電装品アセンブリの高さ位置が同じになるように各ケーシング内に配置されているため、作業者が同じ体勢で各電装品アセンブリに対してアクセスできる。これにより、ケーシング高さの異なる複数の室外ユニットを側方に並べて配置されている場合においても、現地作業性を向上させることができる。
【発明の効果】
【００１８】
以上の説明に述べたように、本発明によれば、以下の効果が得られる。
【００１９】
第１又は第２の発明では、送風機室内の通風抵抗の増加の抑制と現地作業性の確保とを両立することができる。
【００２０】
第３の発明では、高アクセス頻度制御素子の視認性及びサービス性を向上させることができる。
【００２１】
第４の発明では、電装品アセンブリを備えた室外ユニットを複数台並べて設置した場合においても、高アクセス頻度制御素子の視認性及びサービス性を良好に保つことができ、また、現地作業性をさらに向上させることができる。
【００２２】
第５の発明では、高アクセス頻度制御素子の視認性及びサービス性をさらに向上させることができる。
【００２３】
第６の発明では、送風機室内の通風抵抗の増加の抑制と現地作業性の確保とを両立することができる。
【００２４】
第７の発明では、ケーシング高さの異なる複数の室外ユニットを側方に並べて配置されている場合においても、現地作業性を向上させることができる。
【発明を実施するための最良の形態】
【００２５】
以下、図面に基づいて、本発明にかかる電装品アセンブリ、それを備えた空気調和装置の室外ユニット、及び空気調和装置の実施形態について説明する。
【００２６】
（１）室外ユニットの全体構成
図１は、本発明にかかる電装品アセンブリの一実施形態が採用された室外ユニット１の平面図（天板２２と圧縮機５１、室外熱交換器５２及び閉鎖弁６１、６２以外の冷媒回路構成部品５とを取り除いて図示）である。また、図２は、室外ユニット１の正面図（左右前板２３、２４と圧縮機５１、室外熱交換器５２及び閉鎖弁６１、６２以外の冷媒回路構成部品５とを取り除いて図示）である。
【００２７】
この室外ユニット１は、室外に設置されており、略直方体箱状のユニットケーシング２の内部が鉛直に延びる仕切板２８により送風機室Ｓ１と機械室Ｓ２とに分割されたトランク型の構造と呼ばれるものである。この室外ユニット１は、空調室内に配置される室内ユニット（図示せず）に冷媒配管（図示せず）を介して接続されている。室外ユニット１は、主として、略直方体箱状のユニットケーシング２と、室外ファン４と、圧縮機５１や室外熱交換器５２等の機器、液側閉鎖弁６１やガス側閉鎖弁６２等の弁及び配管等の部材を含み冷媒回路を構成する冷媒回路構成部品５と、室外ユニット１の運転制御を行う電装品アセンブリ７とを備えている。尚、以下の説明において、「上」、「下」、「左」、「右」、「前」、「後」、「正面」、「背面」は、特にことわりのない限り、図２に示される室外ユニット１を正面側から見た場合の方向を意味している。
【００２８】
（２）ユニットケーシングの構成
ユニットケーシング２は、主として、底板２１と、天板２２と、左前板２３と、右前板２４と、右側板２５とを備えている。
【００２９】
底板２１は、ユニットケーシング２の底面部分を構成する横長の略長方形状の金属製の板状部材である。底板２１の周縁部は、上向きに折り曲げられている。底板２１の外面には、現地設置面に固定される２つの固定脚２６が設けられている。固定脚２６は、ユニットケーシング２の正面視において略Ｕ字形状を有し、ユニットケーシング２の前側から後側に向かって延びる金属製の板状部材である。
【００３０】
天板２２は、室外ユニット１の天面部分を構成する横長の略長方形状の金属製の板状部材である。
【００３１】
左前板２３は、主として、ユニットケーシング２の左前面部分及び左側面部分を構成する金属製の板状部材であり、その下部が底板２１にネジ等により固定されている。左前板２３には、室外ファン４によってユニットケーシング２内に吸入される空気の吸入口２３ａが形成されている。また、左前板２３には、室外ファン４によってユニットケーシング２の背面側及び左側面側から内部に取り込まれた空気を外部に吹き出すための吹出口２３ｂが設けられている。吹出口２３ｂは、上下２つ形成されており、それぞれにファングリル２７が設けられている。
【００３２】
右前板２４は、主として、ユニットケーシング２の右前面部分及び右側面の前部を構成する金属製の板状部材であり、その下部が底板２１にネジ等により固定されている。また、右前板２４は、その左端部が左前板２３の右端部にネジ等により固定されている。
【００３３】
右側板２５は、主として、ユニットケーシング２の右側面の後部及び右背面部分を構成する金属製の板状部材であり、その下部が底板２１にネジ等により固定されている。そして、左前板２３の後端部と右側板２５の背面側端部と左右方向間には、室外ファン４によってユニットケーシング２内に吸入される空気の吸入口２３ｃが形成されている。
【００３４】
このようなユニットケーシング２内には、仕切板２８と管板２９とが設けられている。仕切板２８は、底板２１上に配置される鉛直に延びる金属製の板状部材であり、ユニットケーシング２の内部を左右２つの空間に仕切るように配置されている。仕切板２８は、本実施形態において、ユニットケーシング２の平面視において、送風機室Ｓ１側に突出するように屈曲した形状を有している。管板２９は、ユニットケーシング２の左側面から背面に沿うように配置された略Ｌ字形状の室外熱交換器５２の右端面に対向するように設けられた金属製の板状部材であり、その下部が底板２１にネジ等により固定されている。そして、管板２９のユニットケーシング前面側の端部と仕切板２８のユニットケーシング背面側の端部とは、互いにネジ等により固定されている。また、左前板２３の右端部は、仕切板２８の前端部にネジ等により固定されている。右側板２５の背面側の端部は、管板２９のユニットケーシング背面側の端部にネジ等により固定されている。
【００３５】
このように、ユニットケーシング２は、その内部が仕切板２８により送風機室Ｓ１と機械室Ｓ２とに分割されている。より具体的には、送風機室Ｓ１は、底板２１と、天板２２と、左前板２３と、仕切板２８とによって囲まれた空間であり、主として、室外ファン４や室外熱交換器５２が配置されている。機械室Ｓ２は、底板２１と、天板２２と、右前板２４と、右側板２５と、仕切板２８とによって囲まれた空間であり、主として、室外熱交換器５２以外の冷媒回路構成部品５と、電装品アセンブリ７とが配置されている。そして、ユニットケーシング２では、右前板２４を取り外すことによって、機械室Ｓ２の内部が見えるようになっている。すなわち、右前板２４は、室外ユニット１の機械室Ｓ２内に収容された冷媒回路構成部品５や電装品アセンブリ７のメンテナンス等の現地作業を行う際に取り外されることになる。
【００３６】
（３）室外ファンの構成
室外ファン４は、複数の翼を有するプロペラファンであり、送風機室Ｓ１内の室外熱交換器５２の前側に配置されている。本実施形態において、室外ファン４は、吹出口２３ｂに対向するように、送風機室Ｓ１内に上下２つ配置されている。これらの室外ファン４は、それぞれ、室外ファン用電動機４ａによって回転駆動されるように構成されている。室外ファン４を駆動すると、ユニットケーシング２の背面及び左側面の吸入口２３ａ、２３ｃを通じて、内部に空気が取り込まれて、室外熱交換器５２を通過した後、ユニットケーシング２の前面の吹出口２３ｂからユニットケーシング２の外部へ空気が吹き出されるようになっている。
【００３７】
（４）冷媒回路構成部品の構成
圧縮機５１は、圧縮機用電動機をハウジング内に内蔵する密閉型圧縮機であり、機械室Ｓ２内に配置されている。ここで、圧縮機用電動機は、電装品アセンブリ７によって周波数制御が可能な、いわゆるインバータタイプの電動機である。圧縮機５１は、本実施形態において、ユニットケーシング２の全高の１／３〜１／２程度の高さの縦型円筒形状を有し、その下部が底板２１に固定されている。また、圧縮機５１は、ユニットケーシング２の平面視において、機械室Ｓ２の前後方向中央付近に、かつ、機械室Ｓ２の仕切板２８付近に配置されている。
【００３８】
室外熱交換器５２は、送風機室Ｓ１内に配置されており、室外ファン４によってユニットケーシング２内に取り込まれた空気との間で熱交換を行う。室外熱交換器５２は、ユニットケーシング２の平面視において略Ｌ字形状を有し、ユニットケーシング２の左側面から背面に沿うように配置されている。
【００３９】
ユニットケーシング２内には、室内ユニット側の冷媒配管が接続される液側閉鎖弁６１及びガス側閉鎖弁６２が配置されている。より具体的には、液側閉鎖弁６１及びガス側閉鎖弁６２は、機械室Ｓ２の前部の右前板２４に対向する位置に配置されている。本実施形態において、液側閉鎖弁６１及びガス側閉鎖弁６２は、左前板２３の右端部と右側板２５の前端部との間に掛け渡されるように設けられた細長い板状の閉鎖弁サポート部材３０に支持されている。閉鎖弁サポート部材３０は、機械室Ｓ２内において、圧縮機５１の上端付近の高さ位置に配置されている。
【００４０】
（５）電装品アセンブリの構成
電装品アセンブリ７は、運転制御を行うための運転制御素子が実装された制御基板９１やインバータ制御素子９２等の各種電気部品を有しており、本実施形態において、機械室Ｓ２内の上部の仕切板２８付近に配置されている。電装品アセンブリ７は、主として、躯体７１と、端子台８６と、端子台サポート部材８７とを有している。
【００４１】
次に、電装品アセンブリ７の構成について、図３〜図６を用いて、詳細に説明する。ここで、図３は、機械室Ｓ２内に設けられた状態の電装品アセンブリ７を下から見た図である。図４は、機械室Ｓ２内に設けられた状態の電装品アセンブリ７を図１のＡ方向から見た図である。図５は、機械室Ｓ２内に設けられた状態の電装品アセンブリ７を図１のＢ方向から見た図である。図６は、図５から仕切板２８を取り除いた状態の電装品アセンブリ７を示す図である。
【００４２】
躯体７１は、運転制御素子が実装された制御基板９１とインバータ制御素子９２とを含む各種電気部品が装着される樹脂製の略直方体箱状の部材であり、主として、制御基板９１及びインバータ制御素子９２を含む各種電気部品が装着される基板取付プレート７２と、制御基板９１を覆う基板保護プレート７６とを有している。
【００４３】
基板取付プレート７２は、電装品アセンブリ７が機械室Ｓ２内に設けられた状態において、送風機室Ｓ１側に配置される部材であり、主として、ユニットケーシング２の前面（すなわち、左右前板２３、２４の前面部分）に対して傾斜しかつ鉛直に延びる第１プレート部としての取付プレート部７３と、取付プレート部７３の外周縁から反送風機室Ｓ１側に向かって延びる取付フレーム部７４とを有している。矢印Ａ又は矢印Ｂ方向から見た取付プレート部７３の略中央には、取付プレート開口７３ａが形成されている。そして、取付プレート部７３の反送風機室Ｓ１側の面には、取付プレート開口７３ａに対向する位置に、インバータ制御素子９２が装着されている。インバータ制御素子９２は、例えば、パワートランジスタやダイオード等の運転時に高温発熱する電気部品である。また、取付プレート部７３の反送風機室Ｓ１側の面には、運転制御素子が実装された制御基板９１が取付プレート部７３の面に平行な状態で、複数のネジ９３を用いて装着されている。すなわち、制御基板９１の基板面は、取付プレート部７３と同様に、ユニットケーシング２の前面に対して傾斜しかつ鉛直に延びていることになる。そして、制御基板９１は、本実施形態において、取付プレート部７３の反送風機室Ｓ１側の面との間にインバータ制御素子９２を挟むように配置されており、インバータ制御素子９２と一体となっている。また、取付プレート部７３の送風機室Ｓ１側の面には、取付プレート開口７３ａを覆うように、ヒートシンク９４が装着されている。ヒートシンク９４は、主として、取付プレート部７３の送風機室Ｓ１側の面に装着されるフランジ部９４ａと、フランジ部９４ａの送風機室Ｓ１側の面から送風機室Ｓ１内に向かって突出する水平な複数の冷却フィン９４ｂとを有している。フランジ部９４ａは、略矩形状のプレート部分である。そして、取付プレート部７３の送風機室Ｓ１側の面には、フランジ部９４ａの外周縁を囲むように、送風機室Ｓ１側に突出する環状突出部７３ｃが形成されている。
【００４４】
基板保護プレート７６は、電装品アセンブリ７が機械室Ｓ２内に設けられた状態において、基板取付プレート７２の反送風機室Ｓ１側に配置される部材であり、主として、ユニットケーシング２の前面（すなわち、左右前板２３、２４の前面部分）に対して傾斜しかつ鉛直に延びる保護プレート部７７と、保護プレート部７７の外周縁から送風機室Ｓ１側に向かって延びる保護フレーム部７８とを有している。保護プレート部７７は、主として、電装品アセンブリ７が機械室Ｓ２内に設けられた状態において、ユニットケーシング２の前面寄りの前側保護プレート部７７ａと、前側保護プレート部７７ａよりもユニットケーシング２の前面から遠い側の後側保護プレート部７７ｂとを有している。後側保護プレート部７７ｂは、矢印Ａ方向から見た保護プレート部７７の左右方向略中央に形成された段差を介して前側保護プレート部７７ａに対して矢印Ｂ方向に突出した状態で一体となっている。前側保護プレート部７７ａ及び後側保護プレート部７７ｂは、取付プレート部７３の面に平行に配置されている。保護フレーム部７８は、取付フレーム部７４と矢印Ａ又は矢印Ｂ方向に直交する方向から見た際に、互いの矢印Ａ又は矢印Ｂ方向の端部が重なるように配置されている。そして、基板保護プレート７６は、保護フレーム部７８又は取付フレーム部７４に形成された係合爪やネジ等を用いて基板取付プレート７２に装着されている。また、前側保護プレート部７７ａの外面（すなわち、基板保護プレート７６を矢印Ａ方向から見た面）には、制御基板９１とは別に、運転制御素子のうちで視認性及びサービス性を必要とする高アクセス頻度制御素子（例えば、ＬＥＤ等からなる表示素子９８ａやスイッチやコネクタ等からなる操作素子９８ｂ）が実装された第１補助基板９８が装着されている。ここで、第１補助基板９８は、前側保護プレート部７７ａの外面に形成された複数（ここでは、４つ）の係止爪７７ｃを含む第１補助基板装着部７９において固定されている。さらに、電装品アセンブリ７が機械室Ｓ２内に設けられた状態において、前側保護プレート部７７ａの第１補助基板装着部７９の下側、後側保護プレート部７７ｂの上部及び後側保護プレート部７７ｂの下部には、それぞれ、付加機能（例えば、通信機能やデマンド制御機能等）を追加する際に必要な付加機能用制御素子が実装された第２補助基板９９ａ、９９ｂ及び９９ｃを装着することができるようになっている。ここで、第２補助基板９９ａは、前側保護プレート部７７ａの外面に形成された複数（ここでは、４つ）の係止爪７７ｄを含む第２補助基板装着部８０ａにおいて固定できるようになっている。第２補助基板９９ｂは、後側保護プレート部７７ｂの外面に形成された複数（ここでは、３つ）のネジ孔７７ｅを含む第２補助基板装着部８０ｂにおいて固定できるようになっている。第２補助基板９９ｃは、後側保護プレート部７７ｂの外面に形成された複数（ここでは、３つ）の係止爪７７ｆを含む第２補助基板装着部８０ｃにおいて固定できるようになっている。尚、躯体７１（すなわち、基板保護プレート７６）を矢印Ａ方向から見た際においても、ユニットケーシング２の側面（すなわち、右前板２４の側面部分及び右側板２５の側面部分）によって隠れてしまうことなく、高アクセス頻度制御素子９８ａ、９８ｂのすべて（すなわち、第１補助基板９８全体）を視認することができるように、ユニットケーシング２の前面に対して傾斜している。より具体的には、躯対７１は、躯体７１（すなわち、基板保護プレート７６）を矢印Ａ方向から見た際において、ユニットケーシング２の側面の前端が板保護プレート７６の上下方向に延びる段差とほぼ重なるように、ユニットケーシング２の前面に対して傾斜している。
【００４５】
また、電装品アセンブリ７が機械室Ｓ２内に設けられた状態において、躯体７１の上面にはリアクトル９６が金属製のリアクトル取付プレート８５を介して装着されており、躯体７１の下面にはノイズフィルタ９７が装着されている。
【００４６】
そして、上述のような各種電気部品やヒートシンク９４が装着された躯体７１には、取付プレート部７３の送風機室Ｓ１側の面を覆うように躯体支持プレート８１が固定されている。躯体支持プレート８１は、金属製の部材であり、主として、電装品アセンブリ７が機械室Ｓ２内に設けられた状態において、取付プレート部７３の送風機室Ｓ１側の面に接する第２プレート部としての支持プレート部８２と、支持プレート部８２の両側縁から仕切板２８の屈曲面に沿って延びる前側延出部８３及び後側延出部８４とを有している。ここで、支持プレート部８２は、取付プレート部７３の下部を除くほぼ全面を覆っており、取付プレート部７３に形成された環状突出部７３ｃの外周側を囲むように第２開口としての支持プレート開口８２ａが形成されている。これにより、躯体７１に装着されたヒートシンク９４の複数の冷却フィン９４ｂは、躯体７１が躯体支持プレート８１に固定された状態において、支持プレート開口８２ａを貫通して支持プレート部８２の送風機室Ｓ１側に突出している。また、支持プレート部８２には、その下端が送風機室Ｓ１側に向かって延びた後に下方に延びる舌部８２ｂが折り曲げ等により形成されている。そして、躯体支持プレート８１は、躯体７１が固定された状態において、例えば、前側延出部８３、後側延出部８４又は支持プレート部８２に形成された係合爪やネジ等を用いて仕切板２８に固定されている。ここで、仕切板２８には、送風機室Ｓ１と機械室Ｓ２とを連通するように第１開口としての略矩形状の仕切板開口２８ａが形成されている。仕切板開口２８ａは、支持プレート開口８２ａに対向しかつ矢印Ｂ方向から見た際に支持プレート開口８２ａ及び支持プレート部８２の下端を囲むように形成されている。これにより、ヒートシンク９４の複数の冷却フィン９４ｂ及び躯体支持プレート８１の舌部８２ｂは、躯体支持プレート８１を介して躯体７１が仕切板２８に固定された状態において、送風機室Ｓ１内に突出しており、インバータ制御素子９２の運転時の冷却を行うことができるようになっている。また、躯体７１は、機械室Ｓ２内に設けられた状態において、制御基板９１の基板面が仕切板２８に沿うようにかつユニットケーシング２の前面に対して傾斜するように設けられている。しかも、躯体７１の角部は、機械室Ｓ２内に設けられた状態の電装品アセンブリ７を上から見た際に、躯体支持プレート８１を介して、仕切板２８の屈曲面に沿うように接している。
【００４７】
端子台８６は、主として、電源接続用の複数の端子部を有する端子台本体８６ａと、端子台本体８６ａの背面が固定される端子台固定プレート８６ｂとを有している。電装品アセンブリ７が機械室Ｓ２内に設けられた状態において、端子台８６は、端子台本体８６ａの端子部がユニットケーシング２の前面を向くように配置されており、端子台固定プレート８６ｂの仕切板２８側の一端が仕切板２８に固定されている。尚、端子台固定プレート８６ｂの一端が左前板２３の前部に固定されてもよい。
【００４８】
端子台サポート部材８７は、電装品アセンブリ７が機械室Ｓ２内に設けられた状態において端子台８６を支持する第１端子台支持部８７ａと、電装品アセンブリ７が機械室Ｓ２内に設けられた状態において躯体７１の上下方向に延びる軸である係合軸７１ａまわり（軸中心をＯとする）に回動可能に支持される躯体被支持部８７ｂとを有する棒状の部材である。端子台サポート部材８７は、躯体被支持部８７ｂを回動させることによって、第１端子台支持部８７ａを制御基板９１の基板面に対して接近又は離反させることが可能である。そして、端子台固定プレート８６ｂの他端は、端子台サポート部材８７を角度αだけ傾斜させた第１状態にして第１端子台支持部８７ａに装着されることにより支持されている。
【００４９】
このように、本実施形態の電装品アセンブリ７では、躯体７１とは別に端子台８６をユニットケーシング２の前面を向くように仕切板２８に固定するとともに、躯体７１に設けられた端子台サポート部材８７によって支持されている。
【００５０】
（６）本実施形態の電装品アセンブリ及びそれを備えた室外ユニットの特徴
本実施形態の電装品アセンブリ７及びそれを備えた室外ユニット１には、以下のような特徴がある。
【００５１】
（Ａ）
本実施形態の電装品アセンブリ７及びそれを備えた室外ユニット１では、制御基板９１の基板面が仕切板２８に沿うようにかつユニットケーシング２の前面に対して傾斜するように躯体７１がユニットケーシング２内に設けられるため、躯体７１の一部が送風機室Ｓ１に突出してしまうことがなく、また、このような電装品アセンブリ７を備えた室外ユニット１を複数台並べて設置した場合においても、右前板２４を取り外すだけで、制御基板９１のメンテナンス等を容易に行うことができる。これにより、この電装品アセンブリ７では、送風機室Ｓ１内の通風抵抗の増加の抑制と現地作業性の確保とを両立することができる。
【００５２】
（Ｂ）
本実施形態の電装品アセンブリ７では、躯体７１の仕切板２８側の角部が、仕切板２８の屈曲面に沿うように接しているため、躯体７１の角部が送風機室Ｓ１まで突出していない。これにより、送風機室Ｓ１内の通風抵抗の増加を確実に抑制することができる。
【００５３】
（Ｃ）
本実施形態の電装品アセンブリ７では、高アクセス頻度制御素子９８ａ、９８ｂがユニットケーシング２の前面寄りに配置されているため、高アクセス頻度制御素子の視認性及びサービス性を向上させることができる。
【００５４】
しかも、本実施形態の電装品アセンブリ７では、制御基板９１の基板面に直交する方向から見た際においても、ユニットケーシング２の側面によって隠れてしまうことなく、高アクセス頻度制御素子９８ａ、９８ｂのすべてを視認することができるように、ユニットケーシング２の前面に対して傾斜しているため、電装品アセンブリ７を備えた室外ユニット１を複数台並べて設置した場合においても、高アクセス頻度制御素子９８ａ、９８ｂの視認性及びサービス性を良好に保つことができ、また、現地作業性をさらに向上させることができる。
【００５５】
特に、本実施形態の電装品アセンブリ７では、基板取付プレート７２を反仕切板２８側から覆う基板保護プレート７６の外面に、制御基板９１とは別の高アクセス頻度制御素子９８ａ、９８ｂが実装された第１補助基板９８が装着されているため、高アクセス頻度制御素子の視認性及びサービス性をさらに向上させることができる。
【００５６】
（７）変形例
上述の実施形態では、上下に２つの室外ファン４がユニットケーシング２内に配置された室外ユニット１に本発明を適用した例を説明したが、１つの室外ファン４のみがユニットケーシング１０２内に配置された室外ユニット１０１に本発明を適用してもよい（図７参照）。この場合において、室外ユニット１０１のユニットケーシング１０２の設置面Ｕからの全高Ｈ２は、室外ユニット１のユニットケーシング２の全高Ｈ１（図２参照）よりも低いものであるが、この室外ユニット１０１においても、室外ユニット１の電装品アセンブリ７と同じ電装品アセンブリ７を使用し、この電装品アセンブリ７をユニットケーシング１０２の天板１２２の直下に設置することで、室外ユニット１のユニットケーシング２内に設置された電装品アセンブリ７の躯体７１の設置高さｈ（例えば、躯体７１の下端を基準とする）と同じ設置高さになるようにしている。すなわち、室外ユニット１に電装品アセンブリ７を設置する際には、ユニットケーシング２の天板２２と躯体７１との間に間隔が大きく空いた状態で設置されるように、ユニットケーシング２や仕切板２８に電装品アセンブリ７を固定する係止爪やネジ孔等を設けるようにし、室外ユニット１０１に電装品アセンブリ７を設置する際には、ユニットケーシング１０２の天板１２２と躯体７１との間に間隔を小さくした状態で設置されるように、ユニットケーシング１０２や仕切板１２８に電装品アセンブリ７を固定するための係止爪やネジ孔等を設けるようにしている。
【００５７】
これにより、図８に示されるように、室外ユニット１０１を室外ユニット１の側方に並べて配置した空気調和装置において、各室外ユニット１、１０１のユニットケーシング２、１０２の全高が異なるにもかかわらず、電装品アセンブリ７の躯体７１の設置高さｈ（例えば、躯体７１の下端を基準とする）と同じ設置高さｈになるように、各ケーシング２、１０２内に配置されているため、上述の実施形態と同様に、制御基板９１のメンテナンス等を容易に行うことができるとともに、作業者が同じ体勢で各電装品アセンブリ７に対してアクセスできる。これにより、ユニットケーシング２、１０２の高さの異なる複数の室外ユニット１、１０１を側方に並べて配置されている場合においても、現地作業性を向上させることができる。
【産業上の利用可能性】
【００５８】
本発明を利用すれば、略直方体箱状のケーシングの内部が鉛直に延びる仕切板により送風機室と機械室とに分割された構造を有する空気調和装置の室外ユニットにおいて、送風機室内の通風抵抗の増加の抑制と現地作業性の確保とを両立することができる。
【図面の簡単な説明】
【００５９】
【図１】本発明にかかる電装品アセンブリの一実施形態が採用された室外ユニットの平面図（天板と圧縮機、室外熱交換器及び閉鎖弁以外の冷媒回路構成部品とを取り除いて図示）である。
【図２】室外ユニットの正面図（左右前板と圧縮機、室外熱交換器及び閉鎖弁以外の冷媒回路構成部品とを取り除いて図示）である。
【図３】機械室内に設けられた状態の電装品アセンブリを下から見た図である。
【図４】機械室内に設けられた状態の電装品アセンブリを図１のＡ方向から見た図である。
【図５】機械室内に設けられた状態の電装品アセンブリを図１のＢ方向から見た図である。
【図６】図５から仕切板を取り除いた状態を示す図である。
【図７】変形例にかかる室外ユニットの正面図（左右前板と圧縮機、室外熱交換器及び閉鎖弁以外の冷媒回路構成部品とを取り除いて図示）である。
【図８】高さの異なるケーシングを有する２つの室外ユニットを並べた状態を示す図である。
【符号の説明】
【００６０】
１、１０１  室外ユニット
２、１０２  ユニットケーシング
７  電装品アセンブリ
２８、１２８  仕切板
７１  躯体
７２  基板取付プレート
７６  基板保護プレート
９１  制御基板
９８  第１補助基板
９８ａ、９８ｂ  高アクセス頻度制御素子
Ｓ１  送風機室
Ｓ２  機械室